(57)【要約】      （修正有）【課題】観察者が自分の足元、地面の下に広がる星の場所や動きを認識可能とし、地上での場所、時刻と、星空全体との関連をバランス良く表示することができる星座早見盤を提供する。【解決手段】本体盤４と、本体盤４に対して回転可能とされた回転盤５とを備え、回転盤５に表示された星座が本体盤４の有する窓部６を介して視認されるように構成された星座早見盤において、回転盤５に設けられた月日の目盛と、本体盤４に設けられた時刻の目盛と、地球上での観察点から地中を通した星座が描かれた回転盤５と、を備え、月日の目盛と時刻の目盛を合わせると、その日その時刻での地中を通した星座が窓部６に表れる。【選択図】図３
0003212278.tif 000002
【実用新案登録請求の範囲】
【請求項１】
本体盤と、該本体盤に対して回転可能とされた回転盤とを備え、前記回転盤に表示された星座が前記本体盤の有する窓部を介して視認されるように構成された星座早見盤において、
前記回転盤に設けられた月日の目盛と、
前記本体盤に設けられた時刻の目盛と、
を備え、
前記回転盤は地球上での観察点から地面を透過した下側に位置する星座が描かれた地面側回転盤であり、
前記本体盤を地面側本体盤とし、前記地面側本体盤の前記窓部を地面側窓部とすると、
前記月日の目盛と前記時刻の目盛を合わせると、その日その時刻での地中を通した星座が前記地面側窓部を介して視認されるように構成された星座早見盤。
【請求項２】
前記地面側窓部に前記観察点から透視した地面下の地図を描いた請求項１に記載の星座早見盤。
【請求項３】
前記地面下の地図を透明シートに描いた請求項２に記載の星座早見盤。
【請求項４】
地球上での観察点から空を見上げたときの星図が描かれた空側回転盤と、
前記空側回転盤に対して水平線以下の部分を隠すように空側窓部が開けられた空側本体盤と、を更に備え、
前記月日の目盛と前記時刻の目盛を合わせると、その日その時刻での星空を見上げた様子が前記空側窓部を介して視認される請求項１から３のいずれか１項に記載の星座早見盤。
【請求項５】
前記空側本体盤、前記空側回転盤、前記地面側回転盤、前記地面側本体盤が順に同心となるように重ね合わせられ、前記月日の目盛は前記空側回転盤の外周に、前記時刻の目盛は前記空側本体盤に設けられた請求項４に記載の星座早見盤。
【請求項６】
前記空側本体盤及び前記空側回転盤による空側の星座早見盤と、前記地面側回転盤及び前記地面側本体盤による地面側の星座早見盤と、が０°より大きく９０°以下の角度で結合され、
前記空側回転盤と前記地面側回転盤との外周に一対のかさ歯車を設け、前記空側回転盤と前記地面側回転盤とが同期して回転する請求項４に記載の星座早見盤。
【請求項７】
前記空側本体盤及び前記空側回転盤による空側の星座早見盤と、前記地面側回転盤及び前記地面側本体盤による地面側の星座早見盤と、が平面的に結合され、前記空側回転盤と前記地面側回転盤との外周に一対の平歯車を設け、前記空側回転盤と前記地面側回転盤とが同期して回転する請求項４に記載の星座早見盤。
【請求項８】
前記空側本体盤を空に向けてかざした状態から左右に裏返して地面に向け前記地面側本体盤を見下ろした場合、前記地面側回転盤により地中を通した星座が前記地面側窓部を介して視認される請求項５に記載の星座早見盤。
【請求項９】
前記空側本体盤を空に向けてかざした状態から上下に裏返して地面に向け前記地面側本体盤を見下ろした場合、前記地面側回転盤に描かれた星座が前記地面側窓部を介して視認される請求項５に記載の星座早見盤。
【請求項１０】
前記回転盤に宇宙の科学データである宇宙マイクロ波背景放射マップを描いた請求項１に記載の星座早見盤。
【考案の詳細な説明】
【技術分野】
【０００１】
本考案は、星空を観察する際に用いられ、星の場所や星座の動きを理解するために用いられる星座早見盤に関するものである。
【背景技術】
【０００２】
星座早見盤は、星空を観察するための道具として知られ、一般的な星座早見盤は円盤型をしている。北半球用星座早見盤、南半球用星座早見盤、あるいは一枚の表と裏が北天と南天になっている南北天別星座早見盤がある。そして、本体盤とその本体盤に対して回転される回転盤とを備え、回転盤に表示された星座が本体盤の有する窓部を介して視認されるように構成される。
【０００３】
星座早見盤は星図が描かれている回転盤（星図部、星図円盤）と水平線以下の部分を隠す本体盤（窓部、マスク円盤）の２枚の円盤よりなり、これらの円盤はハトメなどを用いて回転可能なよう同心に留められる。北半球用では星図の中心（円盤の中心）には必ず天の北極が位置する（北極星の位置とほぼ重なる）。
【０００４】
南半球用では天の南極が中心となる。本体盤の開口部は、星図の中心を含む楕円形をしている。回転盤は観測緯度から見える天球を方位図法によって描いた星図である。見える星の赤緯の下限が緯度によって違い、観測緯度によって別々のものを用意する。
【０００５】
一般的な円盤型の星座早見盤において、北半球用の星座早見盤における窓部は、上側が北（北側の星空）、下側が南（南側の星空）、左側が東（東側の星空）、右側が西（西側の星空）となっている（天球の図のため地図とは東西が逆転している）。見たい星空の方角（例えば北）を向き早見盤のその方角（例えば「北」という表示）が記載されている部分が手前側になるように早見盤を持つ。
【０００６】
回転盤（星図円盤）の外周には月日の目盛、本体盤（マスク円盤）には時刻の目盛が印刷されている。観測している月日と時刻のそれぞれの目盛りを合わせると、その日その時刻の星空の様子が窓部に表れる。方角や日時などを合わせた状態のままで、これを頭上から空に向けてかざして星座を探すことができる。
【０００７】
また、南北天別星座早見盤は、北半球と南半球で同時刻の星空の様子を同時に表示するため、一枚の表と裏が北天と南天になっており、例えば、片面に北緯３５度で見ることのできる星空、もう片面には南緯３５度で見ることのできる星空を描いている。
【０００８】
さらに、頭上にかざして実際の星空を観察すると、星座の相対的な位置や動きを星座盤上で理解するのが難しい。特に、地球の自転によって、天球上の恒星やその他の天体が地球の周りを回るように見える見かけの運動である日周運動は、実際の星々の動きを注意深く観察しなければなかなか理解できない。
【０００９】
北半球での日周運動は、全ての天体が天頂の周りを反時計回りに動くことになる。そして、北極星が天の北極とほぼ同じ方向にあるため、あまり動かないので、北天の周極星は天の北極の周りを反時計回りに動くことになる。
【００１０】
南半球での日周運動は、北半球での運動とは北と南、また左と右が入れ替わり、天の北極の代わりに天の南極が回転の中心となる。そして、南半球では周極星は天の南極の周りを時計回りに動く。
【００１１】
特許文献１には、天の南極を中心に回転する南天星座盤と、天の北極を中心に回転する北天星座盤と、これら星座盤を同期して逆回転させる。そして、天頂を通って東西方向に延びる線で切って展開した形の窓から両星座盤を一覧させ、南北の星々の日周運動を容易に理解することが記載されている。
【００１２】
また、特許文献２には、使い方を理解し易くするため、星座早見盤に複数の方位表示部と、各方位表示部に対応した、イラストレーション又は説明文を表示することが記載されている。
【先行技術文献】
【特許文献】
【００１３】
【特許文献１】特開平１０−２５４３５４号公報
【特許文献２】実用新案登録第３１８２４８６号公報
【考案の概要】
【考案が解決しようとする課題】
【００１４】
通常、北半球用の星座早見盤における窓部は、北半球での観察者には水平線以下の星座が見えないので、水平線以下の部分を本体盤で隠している。したがって、観察者は自分の足元、地面の下に広がる星の場所や日周運動のような動きを認識できない。
【００１５】
また、北半球と南半球で同時刻の星空の様子を同時に表示する南北天別星座早見盤であっても、例えば、片面に北緯３５度で頭上から空に向けてかざして見ることのできる星空、もう片面には南緯３５度で頭上から空に向けてかざして見ることのできる星空を描いているので、北天をある時刻に合わせると裏面は地面の下に沈んだ星座を表すことにはならない。更に言えば、南北天別星座早見盤は、北緯３５度で地面を見たとき、地面を通した向こう側（南緯３５度の空）に位置する星座を表すものではない。
【００１６】
同様に、特許文献１に記載のものは、パノラマ状に展開した状態で表示することにより、南北の星々の日周運動を理解できるが、北天をある時刻と同時刻での地中を通した星の位置が分かるものではない。
【００１７】
さらに、特許文献２に記載のものは、星座早見盤を持ったときの目線において、各方位を合わせるのに、例えば地表のイラストレーションを本体窓に表示するに過ぎず、地上と星空との関連が分かるものはない。
【００１８】
本考案は、上記従来技術の課題を解決し、観察者が自分の足元、地面の下に広がる星の場所や日周運動のような動きを認識可能とする。そして、観察者の地上での場所、時刻と、星空全体との関連を知るようにバランス良く表示することにある。
【課題を解決するための手段】
【００１９】
本考案は、本体盤と、該本体盤に対して回転可能とされた回転盤とを備え、前記回転盤に表示された星座が前記本体盤の有する窓部を介して視認されるように構成された星座早見盤において、前記回転盤に設けられた月日の目盛と、前記本体盤に設けられた時刻の目盛と、を備え、前記回転盤は地球上での観察点から地面を透過した下側に位置する星座が描かれた地面側回転盤であり、前記本体盤を地面側本体盤とし、前記地面側本体盤の前記窓部を地面側窓部とすると、前記月日の目盛と前記時刻の目盛を合わせると、その日その時刻での地中を通した星座が前記地面側窓部を介して視認されるものである。
【００２０】
また、前記回転盤に宇宙の科学データである宇宙マイクロ波背景放射マップを描くこともできる。
【００２１】
さらに、前記地面側窓部に前記観察点から透視した地面下の地図を描いても良い。
【００２２】
さらに、前記地面下の地図を透明シートに描いたことが望ましい。
【００２３】
さらに、地球上での観察点から空を見上げたときの星図が描かれた空側回転盤と、前記空側回転盤に対して水平線以下の部分を隠すように空側窓部が開けられた空側本体盤と、を備え、前記月日の目盛と前記時刻の目盛を合わせると、その日その時刻での星空を見上げた様子が前記空側窓部を介して視認されることが望ましい。
【００２４】
さらに、前記空側本体盤、前記空側回転盤、前記地面側回転盤、前記地面側本体盤が順に同心となるように重ね合わせられ、前記月日の目盛は前記空側回転盤の外周に、前記時刻の目盛は前記空側本体盤に設けられたことが望ましい。
【００２５】
さらに、前記空側本体盤及び前記空側回転盤による空側の星座早見盤と、前記地面側回転盤及び前記地面側本体盤による地面側の星座早見盤とが直角に結合され、前記空側回転盤と前記地面側回転盤との外周に一対のかさ歯車を設け、前記空側回転盤と前記地面側回転盤とが同期して回転することが望ましい。しかしながら、もちろん完全な直角である必要は無く、視認しやすいほぼ直角な角度であれば望ましいが、０°より大きく９０°以下の角度であれば良い。
【００２６】
さらに、前記空側本体盤及び前記空側回転盤による空側の星座早見盤と、前記地面側回転盤及び前記地面側本体盤による地面側の星座早見盤とが平面的に結合され、前記空側回転盤と前記地面側回転盤との外周に一対の平歯車を設け、前記空側回転盤と前記地面側回転盤とが同期して回転することが望ましい。
【００２７】
さらに、前記空側本体盤を空に向けてかざした状態から左右に裏返して地面に向け前記地面側本体盤を見下ろした場合、前記回転盤に描かれた星座が前記地面側窓部を介して視認されることが望ましい。
【００２８】
さらに、前記空側本体盤を空に向けてかざした状態から上下に裏返して地面に向け前記地面側本体盤を見下ろした場合、前記地面側回転盤により地中を通した星座が前記地面側窓部に表れることが望ましい。
【考案の効果】
【００２９】
本考案によれば、星座早見盤において、地球上での観察点から地中を通した星座が描かれた回転盤により、観察しているその日その時刻での地中を通した星座が窓部に表れるので、観察者が自分の足元、地面の下に広がる星の場所や日周運動のような動きを認識することができる。また、観察している場所で見えている星空と本考案の星座早見盤を合わせると全球すべての星を認識することができ、天球儀の中の半球を星空として見ていることを実感できる。
【図面の簡単な説明】
【００３０】
【図１】本考案の第一実施形態に係る星座早見盤の空側を示す平面図
【図２】第一実施形態に係る星座早見盤の星図が描かれている空側回転盤を示す平面図
【図３】本考案の第一実施形態に係る星座早見盤の地面側を示す平面図
【図４】第一実施形態に係る星座早見盤の星図が描かれている地面側回転盤を示す平面図
【図５】本考案の第一実施形態に係る星座早見盤の組立図
【図６】本考案の第一実施形態に係る使用方法を示す説明図
【図７】本考案の第二実施形態に係る星座早見盤の空側を示す平面図
【図８】本考案の第二実施形態に係る星座早見盤の地面側を示す平面図
【図９】本考案の第二実施形態に係る使用方法を示す説明図
【図１０】本考案の第三実施形態に係る星座早見盤の地面側を示す平面図
【図１１】本考案の第四実施形態に係る星座早見盤の地面側を示す平面図
【図１２】本考案の第四実施形態に係る第１変形例
【図１３】本考案の第四実施形態に係る第２変形例
【図１４】本考案の第五実施形態に係る星座早見盤の地面側を示す平面図
【図１５】本考案の第六実施形態に係る星座早見盤を示す斜視図
【図１６】本考案の第六実施形態に係る第１変形例
【考案を実施するための形態】
【００３１】
図１は、第一実施形態に係る星座早見盤の空側を示す平面図、図２は、星図が描かれている空側回転盤２を示す。図３は、星座早見盤の地面側を示す平面図、図４は、星図が描かれている地面側回転盤５を示している。星座早見盤は空側本体盤１と星図が描かれている空側回転盤２、地面側回転盤５と地面側本体盤４との四種類の円盤が重ねられ、空側回転盤２、地面側回転盤５は空側本体盤１及び地面側本体盤４に対して回転可能として同心に留められている。
ここで、空側回転盤２と地面側回転盤５とが、一枚の円盤の表面及び裏面となっている（例えば、表面が空側本体盤１で、裏面が地面側本体盤４）ことが好ましい。また、空側本体盤１と地面側本体盤４とは連結されており、空側本体盤１と地面側本体盤４との間に空側回転盤２と地面側回転盤５とが挿入される構造となっていることが好ましい。
【００３２】
空側本体盤１は、空側回転盤２に対して水平線以下の部分を隠すように空側窓部３が開けられ、空側回転盤２に表示された星座が空側窓部３を介して視認できる。地面側本体盤４も同様に、地面側回転盤５に対して水平線以下（この水平線とは、地面に向かって地面を通して星座を見たと考えたとき、地面を通した地球の真反対の位置になる場所での水平線を意味する）の部分を隠すように地面側窓部６が開けられ、地面側回転盤５に表示された星座が地面側窓部６を介して視認できる。
【００３３】
空側回転盤２及び地面側回転盤５は、観測緯度から見える天球を例えば方位図法によって描いた星図である。見える星の赤緯の下限が緯度によって異なり、観測緯度によって別々のものが用意される。北半球用の観察者であれば、空側回転盤２は北天、例えば北緯３５度を地球上での観察点から空を見上げたときの星図が描かれている。空側本体盤１における空側窓部３は、上側が北（北側の星空：図中Ｎ）、下側が南（南側の星空：図中Ｓ）、左側が東（東側の星空：図中Ｅ）、右側が西（西側の星空：図中Ｗ）となっている。
【００３４】
そして、空側回転盤２の外周には月日の目盛２-１、空側本体盤１には時刻の目盛１-１が印刷されている。観察している月日の目盛２-１と時刻の目盛１-１を合わせると、その日その時刻の星空を見上げた様子が空側窓部３に表れるように構成されている。これにより、方角や日時などを合わせた状態のままで、これを頭上から空に向けて下からかざして星座を探すことができる。
【００３５】
本実施形態において、地面側回転盤５は南天、空側回転盤２の北緯３５度（観察点）に対して地球の真反対の位置になる場所、緯度を正負反転した南緯３５度、経度を１８０°回転した南天の星図が描かれている。しかしながら、本実施形態における北緯３５度の地点は一例であり、任意の緯度における星座早見盤を作製できることは言うまでも無い。そして、星座早見盤をひっくり返して（左右方向にひっくり返し）地面に向けて上から見下ろすことで、空側回転盤２によって、観察するため合わせた同時刻での地中を通した星空が表示される。したがって、地面側本体盤４における地面側窓部６は、上側が南（南側の星空：図中Ｓ）、下側が北（北側の星空：図中Ｎ）、左側が東（東側の星空：図中Ｅ）、右側が西（西側の星空：図中Ｗ）となっている。
ここで、星座早見盤を地面に向けるときに、上下方向にひっくり返して使用するような構成にすることもできる（後述の実施形態２）。その場合は、それに対応させて星座の配置、地面側窓部６の位置、東西南北の表示を変更する。
【００３６】
なお、北半球と南半球で同時刻の星空の様子を同時に表示する南北天別星座早見盤は、北緯３５度で見ることのできる星空の裏面には、南緯３５度の地上で頭上から空に向けてかざしたときに見ることのできる星空を描いているので、上側が北（北側の星空）、下側が南（南側の星空）、左側が東（東側の星空）、右側が西（西側の星空）となっている。
【００３７】
図５は、第一実施形態に係る星座早見盤の組立図を示す。上から順に、空側本体盤１、空側回転盤２、地面側回転盤５、地面側本体盤４が重ね合わせられる。空側回転盤２、地面側回転盤５は貼り合わせ、又は両面印刷として一枚の回転盤としても良い。
【００３８】
さらに、空側回転盤２、地面側回転盤５は空側本体盤１及び地面側本体盤４に対して回転可能として同心に留められていれば良く、空側本体盤１と地面側本体盤４とは互いに接触する個所で貼り合わせ、又は袋状となっていても良い。なお、月日の目盛２-１は空側回転盤２と地面側回転盤５の少なくともいずれか一方の外周に、時刻の目盛１-１は、空側本体盤１と地面側本体盤４との少なくともいずれか一方に描かれていれば良い。
【００３９】
図６は、第一実施形態に係る使用方法を示す説明図である。上図は、観察者８が星座早見盤の空側（空側本体盤１）を見て、矢印１０に示すように頭上から空に向けてかざして方位を実際の方位に合わせた状態を示している。下図は、上図の状態から矢印９に示すように星座早見盤を南北の軸回りに（左右）裏返して下（地面）に向け、観察者８が矢印１１に示すように上から地面側本体盤４を見下ろし、方位を実際の方位に合わせた状態である。
【００４０】
これにより、空側を見た観察者８に対して同じ場所、時刻での地面に広がる星の位置を知ることができる。したがって、観察者８が自分の足元、地面の下に地中を通して広がる星の場所や日周運動のような動きを認識できる。そして、観察者の地上での場所、時刻と、星空全体との関連、繋がりを理解することができる。
ここで、他の実施形態として、第一実施形態の地面側本体盤４と地面側回転盤５のみで構成されたものを作製しても良い。
【００４１】
図７、図８は、第二実施形態を示し、図７は星座早見盤の空側を示す平面図、図８は、星座早見盤の地面側を示す平面図である。第二実施形態では、図７の星座早見盤の空側は第一実施形態と同様である。図８の地面側は、地面側本体盤１３、地面側回転盤１２が第一実施形態とは上下が反対となっている。
【００４２】
そして、星座早見盤を地上に向けて上から見下ろすことで、空側回転盤２によって、観察するため合わせた同時刻での地中を通した星空が表示される。したがって、地面側本体盤１３における地面側窓部１４は、上側が南（南側の星空：図中Ｓ）、下側が北（北側の星空：図中Ｎ）、左側が東（東側の星空：図中Ｅ）、右側が西（西側の星空：図中Ｗ）となっている。また、地面側窓部１４の位置は、第一実施形態と比べて上下方向に移動している。
【００４３】
第二実施形態も第一実施形態と同様に上から順に、空側本体盤１、空側回転盤２、地面側回転盤１２、地面側本体盤１３が重ね合わせられる。空側回転盤２、地面側回転盤１２は貼り合わせ、又は両面印刷として一枚の回転盤としても良い。
【００４４】
図９は、第二実施形態に係る使用方法を示す説明図である。上図は、観察者８が星座早見盤の空側（空側本体盤１）を見て、矢印１０に示すように頭上から空に向けてかざして方位を実際の方位に合わした状態を示している。下図は、上図の状態から矢印１５に示すように星座早見盤を東西の軸回りに（上下）裏返して下（地面）に向け、観察者８が矢印１１に示すように上から地面側本体盤１３を見下ろし、方位を実際の方位に合わした状態である。
【００４５】
これにより、第一実施形態と同様に、空側を見た観察者８に対して同じ場所、時刻での地面に広がる星の位置を知ることができる。したがって、観察者の地上での場所、時刻と、星空全体との関連、繋がりを理解することができる。
【００４６】
図１０は、第一実施形態の星座の代わりに宇宙の科学データである宇宙マイクロ波背景放射マップ２０を描いた第三実施形態である。宇宙マイクロ波背景放射とは、天球上の全方向からほぼ等方的に観測されるマイクロ波であり、宇宙マイクロ波背景放射マップ２０において、白い丸が星を表し、色は温度を表している。例えば、温度が高いところは赤く、低いところ青くする（図１０においては白黒で示している）。
【００４７】
宇宙マイクロ波背景放射は、宇宙誕生時の名残を伝える微弱なマイクロ波である。星座早見盤の表側には、通常の星座を表示し、裏側にこの宇宙マイクロ波背景放射を表示することで、観測者が空に向けて星座早見盤の表側と裏側とをひっくり返しながら観察することで、観測者は空の星座に関連付けて宇宙マイクロ波背景放射を理解することができ、宇宙の年齢や誕生時の温度ムラなどを意識し学ぶことができる。
【００４８】
第三実施形態よる星座早見盤によれば、第１実施形態または第２実施形態において、空側には、星座の代わりに空を見上げたときの宇宙マイクロ波背景放射を表示し、地面側には、地面を透過したときに見える宇宙マイクロ波背景放射を表示している。
これにより、空の半球だけでなく地面の下の宇宙マイクロ波背景放射を見ることができるので、結果的に観察点からの宇宙の歴史に関わる新しい情景を認識することができる。なお、星座あるいは宇宙マイクロ波背景放射マップ２０のいずれかを透明シートに描いて両方を表示するようにしても良い。ここで表示する科学データは、上記宇宙マイクロ波背景放射に限るものではなく、赤外線や紫外線マップ、ガンマ線バーストの発生位置を示した分布など、宇宙全球に渡るデータであれば良い。
【００４９】
図１１は、第一実施形態の地面側本体盤４に地面下の地図を海岸線で描いた第四実施形態である。星座早見盤の地面側には、観察点、例えば北緯３５度から地中を透視して見えるであろうとする地球の向こう側の海岸線地図２１を描いている。したがって、地球上の異なる観察点では、その観察点から透視した地図を描く必要があり、世界地図も通常とは逆さまとなる。
【００５０】
例えば、自分のいるところから南極の方向は、真南の方角ではなく、地中が透明になったとして、南極の見える方向のことである。そして、その方向に真っ直ぐと穴を掘っていったら到着する場所とも言える。つまり、地面を指すことになり、自分の生活圏の見える範囲だけでなく、地中の向こう側の人々の生活を感じることになる。そして、空側の星図との地中を通した一体感を意識し、世界を平面的な繋がりとして知る感覚とは異なるものとなる。
【００５１】
図１２は、第四実施形態に係る第１変形例であり、図１１で示す第四実施形態では海と陸地が分かりにくいので、海を青にして国境線を描いてカラー地図２２としたものである（図１２においては白黒で示している）。
【００５２】
図１３は、第四実施形態に係る第２変形例であり、図１１で示す第四実施形態に対して地面側窓部６の中に方位と仰角が分かるラインを付け、ライン入り地図２３としたものである。
【００５３】
図１４は、第五実施形態であり、図１１で示す第四実施形態に対して地面側窓部６に地面下の地図を透明シートに印刷して描いて、透明地図２４としたものである。そして、地面側回転盤５は図３で示す第一実施形態と同様に南天の星図が描かれている。地面側回転盤５を回転させても透明地図２４を描いた透明シートは動かないようにしている。これにより、地面の下の地図と一緒に星の位置を見ることで、地球が透明だった場合の星の位置を意識し、北天で見える星座との繋がりを認識できる。
【００５４】
なお、図１０に示す第三実施形態の宇宙マイクロ波背景放射マップ２０、図１１に示す第四実施形態の海岸線地図２１、図１２に示す海を青にしたカラー地図２２、図１３に示す方位と仰角が分かるライン入り地図２３においても、図１４に示す第五実施形態と同様にして、地面側窓部６に地面下の地図を透明シートに印刷して描き、星の位置も透明シートを透過して同時に表示することが好ましい。それにより、より効果的に地面の下の地図と一星の位置との繋がりを知り、観察点からのある時間での全天球の分布を把握することができ、教育的な効果も高い。
【００５５】
図１５は、第六実施形態に係る星座早見盤であり、第一実施形態の空側と地面側が一体となったものに対して分離して組み合わせを変えた星座早見盤である。つまり、図１、２で示す第一実施形態における空側本体盤１及び星図が描かれている空側回転盤２による空側の星座早見盤と、図３、４で示す第一実施形態における地面側回転盤５と地面側本体盤４による地面側の星座早見盤とをほぼ直角に結合している。
【００５６】
そして、空側の星座早見盤の空側回転盤２と、地面側の星座早見盤の地面側回転盤５と、の外周に一対のかさ歯車１６、１７を設けている。これにより、直角の部分で空側の星座早見盤と地面側の星座早見盤とがかさ歯車１６、１７によって、同期して伝動する。したがって、空側回転盤２と地面側回転盤５も同じ角度で同期して回転することで第一実施形態のように星座早見盤を裏返すことなく空側と地面側を見ることができる。また、空側回転盤２と地面側回転盤５とが連動して回転するので、日時は片側の早見盤を合わせるだけで良いことになる。
ここで、空側の星座早見盤と地面側の星座早見盤とは、直角ではなく、０°（同一平面に並べた状態）より大きく９０°以下の角度になるように結合しても良い。９０°よりも大きくなると観測者が視認しにくくなるので好ましくない。空側と地面側の両方を見やすくするためには９０°の角度で結合することが好ましい。
【００５７】
第六実施形態によれば、空側と地面側を見比べ易くなり、空側から沈んでいった星座が地面の下側に移る様子など、動きの繋がりが把握しやすい効果がある。
【００５８】
図１６は、第六実施形態に係る第１変形例であり、図１５で示す第六実施形態に対して２枚の星座早見盤を平面で並べて繋げ、平面的に結合したものである（第五実施形態において角度０°で結合したものに相当する）。そのため、第六実施形態のかさ歯車に代えて、一対の平歯車１８、１９で空側の星座早見盤と地面側の星座早見盤とを同期して伝動するようにしている。他は、図１５で示す第六実施形態と同様である。
【００５９】
２枚の星座早見盤が平面的に配置されているので、観察者が水平面に対して小さな角度（または角度０°）で見上げて使用するのに適している。なお、図１５で示す第六実施形態、図１６で示す第六実施形態に係る第１変形例のいずれも空側回転盤２と地面側回転盤５を表裏に貼り合わせる必要はない。
【００６０】
なお、第一実施形態から第六実施形態において、いずれも空側本体盤１と空側回転盤２による空側の星座早見盤と、地面側回転盤５と地面側本体盤４による星座早見盤と、を組み合わせたものを説明している。しかし、少なくとも地面側回転盤５と地面側本体盤４による星座早見盤を備えれば、観察しているその日その時刻での地中を通した星座を知ることができるので、観察者が自分の足元、地面の下に広がる星の場所や日周運動のような動きを認識することができる。
【符号の説明】
【００６１】
１    空側本体盤
１-１    時刻の目盛
２    空側回転盤
２-１    月日の目盛
３    空側窓部
４、１３    地面側本体盤
５、１２    地面側回転盤
６、１４    地面側窓部
８    観察者
９、１０、１１、１５    矢印
１６、１７    かさ歯車
１８、１９    平歯車
２０    宇宙マイクロ波背景放射マップ
２１    海岸線地図
２２    カラー地図
２３    ライン入り地図
２４    透明地図
【図１】
0003212278.tif 000003
【図２】
0003212278.tif 000004
【図３】
0003212278.tif 000005
【図４】
0003212278.tif 000006
【図５】
0003212278.tif 000007
【図６】
0003212278.tif 000008
【図７】
0003212278.tif 000009
【図８】
0003212278.tif 000010
【図９】
0003212278.tif 000011
【図１０】
0003212278.tif 000012
【図１１】
0003212278.tif 000013
【図１２】
0003212278.tif 000014
【図１３】
0003212278.tif 000015
【図１４】
0003212278.tif 000016
【図１５】
0003212278.tif 000017
【図１６】
0003212278.tif 000018